(57)【要約】      （修正有）【課題】伸長する際の抵抗軽減と、十分な呼吸作用を得ることの両方を、共に満足できる飲料用ストローを提供する。【解決手段】外ストロー１内に内ストロー２が嵌合された伸縮式のストローであり、内ストロー２の基端部には拡径部が形成され、もっとも縮長された状態において、外ストロー１の外面のうち拡径部よりも先端側の位置に、外ストローの長手方向に延びる通気溝３が形成されている。通気溝は、その基端位置３ａから先端位置３ｂに向けて徐々に深くなるように傾斜部３ｃを有し、浅い部分の幅が、深い部分の幅よりも大きい。【選択図】図１
0003207890.tif 000002
【実用新案登録請求の範囲】
【請求項１】
外ストロー内に内ストローが嵌合された伸縮式とされ、
前記内ストローの基端部に、拡径部が形成され、
もっとも縮長された状態において、前記外ストローの外面のうち前記拡径部よりも先端側の位置において、該外ストローの長手方向に延びる通気溝が形成され、
前記通気溝は、該通気溝の基端位置から先端部側に向けて徐々に深くなるように傾斜部を有するように形成され、
前記通気溝は、浅い部分の幅が深い部分の幅よりも大きくされている、
ことを特徴とする飲料用ストロー。
【請求項２】
請求項１において、
前記傾斜部が、前記通期溝の全長に渡って形成されている、ことを特徴とする飲料用ストロー。
【請求項３】
請求項２において、
前記通気溝の幅が、その全長に渡って徐々に変化されている、ことを特徴とする飲料用ストロー。
【請求項４】
請求項１において、
前記傾斜部が、前記通気溝の基端側においてのみ部分的に形成され、
前記通気溝は、前記傾斜部以外の部分が同一の深さとされ、
前記通気溝は、前記傾斜部以外の部分の幅が同一とされている、
ことを特徴とする飲料用ストロー。
【請求項５】
請求項１ないし請求項４のいずれか１項において、
前記通気溝の基端が、前記外ストローの内面に対して段差を形成することなく面一となるように連なっている、ことを特徴とする飲料用ストロー。
【請求項６】
請求項１ないし請求項５のいずれか１項において、
前記通気溝の幅の形状が、その全長に渡って左右対称とされている、ことを特徴とする飲料用ストロー。
【請求項７】
請求項１ないし請求項６のいずれか１項において、
前記外ストローの先端部に、前記拡径部を係止して前記内ストローが該外ストローの先端側から抜け出るのを規制する縮径部が形成され、
前記通気溝が、もっとも縮長された状態において前記拡径部よりも先端側の位置で、かつもっとも伸長された状態において該拡径部よりも基端側の位置において形成されている、
ことを特徴とする飲料用ストロー。
【考案の詳細な説明】
【技術分野】
【０００１】
本考案は、伸縮式とされた飲料用ストローに関するものである。
【背景技術】
【０００２】
伸縮式の飲料用ストローは、外ストロー内に内ストローを摺動可能に挿入した構造となっている。そして、内ストローの基端部に拡径部を形成する一方、外ストローの先端部には該拡径部を係止するストッパ部となる縮径部を形成して、ストローを伸長させようとしたときに内ストローが外ストローの先端部側から抜け出てしまう事態が防止されるようになっている。
【０００３】
外ストローの外面には、所定長さの通気溝（筋状の凹み）を形成することが一般的となっている。すなわち通気溝を形成しておくことにより、密閉状の容器に飲料用ストロー差し込んで飲用する際に、容器内を大気と連通させて（呼吸機能を確保して）、吸い込み抵抗減少や吸い込み音の発生を防止あるいは抑制するようになっている。
【０００４】
外ストローに形成される通気溝は、飲料用ストローがもっとも縮長状態においては上記拡径部よりも先端側で、かつ飲料用ストローがもっとも伸長状態にあるときは上記拡径部よりも基端部側となる位置範囲に形成されるのが一般的である。
【０００５】
飲料用ストローを、もっとも縮長された状態から伸長させようとするときには、内ストローの基端部に形成された拡径部が、外ストローの内方側に突出する通気溝の壁部（段差部）を乗り越える必要があり、この乗り越えの際に抵抗を生じることになる。
【０００６】
ところで、通気溝を深く形成するほど、通気溝を通しての容器内と大気との連通断面積が大きくなって、呼吸機能が向上されることになる。しかしながら、通気溝の深さを深くすると、その分、通気溝の形成により構成される段差部を内ストローの拡径部が乗り越える際の抵抗が大きくなってしまうことになる。
【０００７】
特許文献１には、通気溝を、その基端側から先端側に向けて徐々に深く形成すること、つまり通気溝の基端部側の深さを浅くして、内ストローの拡径部が乗り越える部分の段差を小さくするもの、つまり伸長させる際の抵抗を小さくできるものが開示されている。
【先行技術文献】
【特許文献】
【０００８】
【特許文献１】特開平７−２２２６６５号公報（特許第２９３６５４８号公報）
【考案の概要】
【考案が解決しようとする課題】
【０００９】
しかしながら、特許文献１に記載のものでは、通気溝の幅はその全長に渡って同一とされている。このことは、伸長された飲料用ストローを容器に差し込んだときに、通気溝の深い部分でもって大気と連通される状態であればよいが、通気溝の浅い部分でもって大気と連通されるときは、十分な呼吸作用を得ることが難しいものとなる。特に、飲料用ストローは、容器の面に対して垂直に差し込まれた状態で使用されるときもあり（容器に対して比較的浅い挿入）、また容器の面に対して傾けて使用されるときもあり（容器に対して比較的深い挿入）、常に通気溝の深い部分でもって大気と連通させて使用するという状況にはならないものである。
【００１０】
本考案は以上のような事情を勘案してなされたもので、通気溝を形成することに伴う伸長する際の抵抗軽減と十分な呼吸作用を得ることの両方を共に満足できるようにした飲料用ストローを提供することにある。
【課題を解決するための手段】
【００１１】
前記目的を達成するため、本発明にあっては次のような解決手法を採択してある。すなわち、請求項１に記載のように、
外ストロー内に内ストローが嵌合された伸縮式とされ、
前記内ストローの基端部に、拡径部が形成され、
もっとも縮長された状態において、前記外ストローの外面のうち前記拡径部よりも先端側の位置において、該外ストローの長手方向に延びる通気溝が形成され、
前記通気溝は、該通気溝の基端位置から先端部側に向けて徐々に深くなるように傾斜部を有するように形成され、
前記通気溝は、浅い部分の幅が深い部分の幅よりも大きくされている、
ようにしてある。
【００１２】
上記解決手法によれば、通気溝の基端位置では、通気溝が外ストローの内方側に突出する度合いを極めて小さくすることができ、飲料用ストローを伸長させる際に内ストローの拡径部が通気溝を乗り越えようとする際の当初の抵抗を極めて小さくすることができ、その後の伸長もスムーズに行うことができる。また、通気溝は、深さの浅い部分では深い部分に比して幅広としてあるので、通気溝の長手方向においてほぼ同じような有効開口面積を確保して、飲料用ストローの容器への差し込み深さの相違にかかわらず常にほぼ同程度の呼吸作用を得ることができる。
【００１３】
上記解決手法を前提とした好ましい態様は、請求項２以下に記載のとおりである。すなわち、
前記傾斜部が、前記通期溝の全長に渡って形成されている、ようにしてある（請求項２対応）。この場合、内ストローの拡径部が、通気溝部分をよりスムーズに通過できるようにする上で好ましいものとなる。
【００１４】
前記通気溝の幅が、その全長に渡って徐々に変化されている、ようにしてある（請求項３対応）。この場合、通気溝の全長に渡ってその深さと幅とを徐々に変化させて、飲料用ストローの容器への差し込み深さの相違にかかわらず常にほぼ同程度の呼吸作用を得る上で極めて好ましいものとなる。
【００１５】
前記傾斜部が、前記通気溝の基端側においてのみ部分的に形成され、
前記通気溝は、前記傾斜部以外の部分が同一の深さとされ、
前記通気溝は、前記傾斜部以外の部分の幅が同一とされている、
ようにしてある（請求項４対応）。この場合、有効開口面積が同じとなる深さと幅が同じ部分を極力長く確保する上で好ましいものとなる。また、傾斜部を、飲料用ストローを容器に差し込んだときに常時容器の外側に位置させるように位置設定することも可能となる。
【００１６】
前記通気溝の基端が、前記外ストローの内面に対して段差を形成することなく面一となるように連なっている、ようにしてある（請求項５対応）。この場合、内ストローの拡径部が通気溝の基端位置を通過する際の当初の抵抗を極めて小さくして、拡径部が通気溝部分をよりスムーズに通過できるようにする上で極めて好ましいものとなる。
【００１７】
前記通気溝の幅の形状が、その全長に渡って左右対称とされている、ようにしてある（請求項６対応）。この場合、外観上の見栄え向上の上でも好ましいものとなる。
【００１８】
前記外ストローの先端部に、前記拡径部を係止して前記内ストローが該外ストローの先端側から抜け出るのを規制する縮径部が形成され、
前記通気溝が、もっとも縮長された状態において前記拡径部よりも先端側の位置で、かつもっとも伸長された状態において該拡径部よりも基端側の位置において形成されている、
ようにしてある（請求項７対応）。この場合、通気溝の形成位置が、従来の飲料用ストローの場合と同様に設定されたものを提供することができる。
【考案の効果】
【００１９】
本考案によれば、伸長する際の抵抗軽減と十分な呼吸作用を得ることの両方を共に満足させることができる。
【図面の簡単な説明】
【００２０】
【図１】本考案による飲料用ストローの一例を示す斜視図で、もっとも伸長された状態を示す。
【図２】図１に示す飲料用ストローの側面図で、もっとも縮長された状態を示す。
【図３】図１に示す飲料用ストローの要部側面断面図で、もっとも伸長された状態を示す。
【図４】図１に示す飲料用ストローの通気溝部分を示す拡大平面図。
【図５】図４のＸ５−Ｘ５線相当での拡大端面図。
【図６】図４のＸ６−Ｘ６線相当での拡大端面図。
【図７】本考案の別の例を示すもので、図３に対応した側面断面図。
【図８】図７に示す飲料用ストローの通気溝部分を示す拡大平面図。
【考案を実施するための形態】
【００２１】
図１、図２において、飲料用ストローＳは、それぞれ断面が円環状とされた外ストロー１と内ストロー２とを有する。内ストロー２が外ストロー１内に摺動可能に挿入されて、飲料用ストローＳは伸縮可能とされている。図１がもっとも伸長された状態を示し、また図２がもっとも縮長された状態を示す。外ストロー１の基端部１ａ側が、飲み口側となり、内ストロー２の先端部２ａが、斜めにカットされて、容器に対する差し込み口とされる。外ストロー１および内ストロー２は、合成樹脂（特に熱可塑性合成樹脂で、例えば、ポリプロピレン、ポリエチレン、ポリ乳酸等）によって形成することができる。
【００２２】
図３に示すように、内ストロー２の基端部には、拡径させることにより拡径部２ｂが形成されている。この拡径部２ｂの外径は、外ストロー１の内径とほぼ同一とされて、極力気密状態を維持する状態でもって、拡径部２ｂが外ストロー１の内面を摺動するようになっている。
【００２３】
外ストロー１の先端部には、縮径部１ｂが形成されている。この縮径部１ｂに拡径部２ｂが嵌合、係止されることにより、内ストロー２の外ストロー１の先端部側からの抜けが規制される。また、外ストロー１には、縮径部１ｂよりも若干基端部側の位置において、内方側に吐出させて筋状の前ストッパ部１ｃが形成されている。もっとも伸長された状態では、拡径部２ｂは、縮径部１ｂと前ストッパ部１ｃとの間に挟まれた状態とされて、もっとも伸長された状態が維持される。
【００２４】
外ストロー１の基端部１ａには、内方側に若干縮径された後ストッパ部１ｄが形成されている。内ストロー２の拡径部２ｂが、後ストッパ部１ｄに係止されることにより、内ストロー２が外ストロー１の基端部１ａ側から抜け出てしまう事態が防止される。
【００２５】
外ストロー１の外面には、通気溝３が形成されている。通気溝３は、外ストロー１の長手方向に延びている。通気溝３の基端位置３ａは、もっとも縮長状態にあるときの拡径部２ｂよりも先端側寄りの位置されている。また、通気溝３の先端位置３ｂは、もっとも伸長状態にあるときの拡径部２ｂおよび前ストッパ部１ｃよりも基端部側の位置とされている。より具体的には、通気溝３の長さは、外ストロー１の外径が５〜６ｍｍ程度のときに、２０〜４５ｍｍ程度の範囲で設定することができる。
【００２６】
通気溝３の深さは、図２（の破線）および図３に示すように、基端位置３ａから先端位置３ｂに向けて徐々に深くなるように傾斜して形成されている。換言すれば、先端位置３ｂから基端位置３ａに向けて徐々に浅くなるように傾斜して形成されている。このように、通気溝３（の底面）は、その全長に渡って、深さが徐々に変化する傾斜部３ｃとされている。傾斜部３ｃの傾斜度合いは、外ストロー１の中心軸線に対して０．５度〜２．５度傾斜するように設定されている。具体的には、もっとも深い先端位置３ｂでの深さは、０．６ｍｍ〜２．０ｍｍ程度とし、もっとも浅い基端位置３ａでの深さは０〜０．４ｍｍ程度とすることができる。また、実施形態では、通気溝３の深さは、基端位置３ａでは０（零）となるようにされて、外ストロー１の内面に対して面一でもって滑らかに連なるようにされている。
【００２７】
通気溝３は、図１、図４に示すように、その幅が、通気溝３の長手方向で変化するように設定されている。具体的には、通気溝３の深さがもっとも深くなる先端位置３ｂの部分では幅がもっとも小さく、深さがもっとも浅くなる起点位置３ａでは幅がもっとも大きくされている。このように、通気溝３の幅が、先端位置３ｂ側から基端位置３ａ側に向けて徐々に幅広くされている。もっとも深い先端位置３ｂでの幅は、例えば１．５〜２．０ｍｍ程度とし、もっとも浅い基端位置３ａの幅は、２．５〜４．０ｍｍ程度とすることができる。また、このよう通気溝３の形状は、平面視において、左右対称となるようにされている（図４に示す通気溝３の平面視において、外ストロー１の中心軸線を中心とする左右対称）。つまり、通気溝３は、バランスのよいデザイン形状とされて、外観上の見栄え向上の上で好ましいものとなっている。
【００２８】
図５は、通気溝３の深さが深い部分での断面を示し、図６は通気溝３の深さが浅い部分での断面を示す。通気溝３は、その深さと幅とによって、その有効開口面積（有効断面積）が決定されることになる。そして、通気溝３は、深さが浅いほど幅が大きくなるように形成されていることから、通気溝３の全長に渡ってほぼ同一の有効開口面積が確保されるようになっている。つまり、もっとも伸長させた状態の飲料用ストローＳを容器に差し込んだ際に、容器に対する差し込み深さ（あるいは差し込んだときの姿勢）が変化して、通気溝３のうち容器内を大気と連通させる部分の位置が変動しても、ほぼ同じような呼吸作用を得ることができる。
【００２９】
図５、図６では、通気溝３の底面形状が平坦面状の場合を示してあるが、例えば外ストロー１の中心軸線を中心とする円弧状に形成する等、適宜の形状に設定できる。なお、通気溝３の形成は、例えば次のような手順（工程）で行うことができる。すなわち、例えば外ストロー１を所定温度（例えば１１０℃程度）に加温して軟化状態とする。この後、軟化状態の外ストロー１の外面に対して、通気溝３に対応した形状を有する型刃を押しつければよい。
【００３０】
飲料用ストローＳをもっとも縮長させた状態では、内ストロー２の拡径部２ｂは、通気溝３の基端位置３ａよりも基端側に位置している。この状態から飲料用ストローＳを伸長させたとき、拡径部２ｂは通気溝３を通過するように移動されるが、通気溝３の基端位置３ａでの段差は０あるいは極端に小さいことから、この基端位置３ａで全くあるいは殆ど抵抗を受けることなく、徐々に通気溝３の深い部分へと移動していくことになる。つまり、拡径部２ｂ（を有する内ストロー２）は、外ストロー１から急激な抵抗作用を受けることなく、スムーズに伸長させることが可能である。なお、伸長させる際の引き出し力は、１．５Ｎ〜３．５Ｎの範囲となるように設定するのが好ましい。また、外ストロー１の肉厚は、強度確保等の観点から０．２２〜０．４ｍｍ程度とするのが好ましい。
【００３１】
図７、図８は本考案の別の実施形態による飲料用ストローＳ２を示すものである。図１〜図６に示す飲料用ストローＳと同一構成要素には同一符号を付して、その重複した説明は省略する。
【００３２】
本実施形態では、通気溝に関連した部分の符号が、前記実施形態の場合に用いた符号に対して１０番の符号を加えたものとしてある。すなわち、前記実施形態との符号の対応関係は、通気溝１３は３に対応し、傾斜部１３ｃは３ｃに対応し、基端位置１３ａは３ａに対応し、先端位置１３ｂは３ｂに対応し、傾斜部１３ｃは３ｃに対応している。
【００３３】
本実施形態では、通気溝１３のうち傾斜部１３ｃを、基端位置３ａに近い部分の短い距離範囲においてのみ、部分的に形成してある。この傾斜部１３ｃの先端位置を符号１３ｃ−１で示してある。傾斜部１３ｃにおいては、その先端位置１３ｃ−１から基端位置１３ａに向けて、徐々に浅くなるようにされている。この基端位置１３ａと先端位置１３ｃ−１との長さは、例えば１０〜１５ｍｍ程度とすることができる。
【００３４】
通気溝１３のうち、傾斜部１３ｃよりも先端側部分（先端位置１３ｂと１３ｃ−１との間の範囲）の深さは、その全長に渡って同一とされている（例えば、外ストロー１の外径が５〜６ｍｍ程度の場合に、深さ０．６〜２．０ｍｍ程度）。
【００３５】
通気溝１３の幅は、先端位置１３ｂと１３ｃ−１との範囲では同一でもっても狭くされている（例えば、外ストロー１の外径が５〜６ｍｍ程度の場合に、幅が１．５〜２．０ｍｍ程度）。また、傾斜部１３ｃ（先端位置１３ｃ−１から基端位置３ａ）の範囲では、通気溝１３の幅は、基端位置１３ａに向けて徐々に幅広くなるように形成されている（もっとも広い幅となる基端位置１３ａでの幅が、２．０〜４．０ｍｍ程度）。
【００３６】
なお、通気溝１３のうち、傾斜部１３ｃの形成位置を、実質的に呼吸用溝として利用しない範囲とすることができる。すなわち、伸長された飲料用ストローＳ２を容器に差し込んだ際に、傾斜部１３ｃが、常時容器の外側に位置するように位置設定を行うことができる（傾斜部１３ｃは、もっぱら内ストロー２の拡径部２ｂが通過する際の抵抗軽減用として利用する）。
【００３７】
ここで、参考例として、通気溝３（あるいは１３）の深さと幅の関係を、実施形態の場合とは逆にした場合が考えられる。すなわち、通気溝３の深さが、その基端位置３ａから先端位置３ｂに向けて徐々に浅くなる一方、その幅が徐々に広くなる形態が考えられる。この場合、飲料用ストローＳを伸長させる際に、内ストロー２の拡径部２ｂが通気溝３の基端位置３ａで大きな抵抗を受けるが、この大きな抵抗を受けた後は、極めて軽い力でもって伸長させることが可能になる。
【００３８】
以上実施形態について説明したが、本考案は、実施形態に限定されるものではなく、実用新案登録請求の範囲において適宜の変更が可能である。通気溝３（１３）の幅は、その長手方向に沿って連続可変式に変更するのではなく、例えば３段階あるいは４段階のように段階式に変更することもできる。通気溝３（１３）は、外ストロー１の周方向に間隔をあけて複数本（例えば２本あるいは３本）形成することもできる。外ストロー１としては、通気溝３（１３）よりも基端側において、蛇腹部を有するものであってもよい。勿論、本考案の目的は、明記されたものに限らず、実質的に好ましいあるいは利点として表現されたものを提供することをも暗黙的に含むものである。
【産業上の利用可能性】
【００３９】
本考案は、通気溝を有する飲料用ストローとして好ましいものを提供できる。
【符号の説明】
【００４０】
１：外ストロー
１ａ：基端部
１ｂ：縮径部
２：内ストロー
２ｂ：拡径部
３：通気溝
３ａ：基端位置
３ｂ：先端位置
３ｃ：傾斜部
１３：通気溝（図７、図８）
１３ａ：基端位置
１３ｂ：先端位置
１３ｃ：傾斜部
１３ｃ−１：傾斜部の先端位置
【図１】
0003207890.tif 000003
【図２】
0003207890.tif 000004
【図３】
0003207890.tif 000005
【図４】
0003207890.tif 000006
【図５】
0003207890.tif 000007
【図６】
0003207890.tif 000008
【図７】
0003207890.tif 000009
【図８】
0003207890.tif 000010